(57)【要約】【課題】画像読取装置の読み取り画像から原稿種別を自動判別する際の判別精度を向上させる。【解決手段】画像読取装置の読み取り画像から原稿種別を判別する際の指標となるマークをホルダ部３１とは別部品で構成する。そして、別部品とされたマーク部品３７を、フィルムホルダ３０のホルダ部３１に形成されたマーク装着部３６に嵌め込み固定する。【選択図】      図３
2006284884.tif 000002
【特許請求の範囲】
【請求項１】
画像読取装置の原稿台に透過原稿を位置決めするためのフィルムホルダであって、前記画像読取装置の読み取り画像から制御装置が原稿種別を判別する際の指標となるマークをホルダ本体とは別部品で構成し、そのマーク部品を前記ホルダ本体の装着部に嵌め込み固定したことを特徴とするフィルムホルダ。
【請求項２】
前記マーク部品は、前記画像読取装置の機種間で共通部品とされていることを特徴とする請求項１に記載のフィルムホルダ。
【請求項３】
前記ホルダ本体には、前記装着部が一つ又は複数設けられており、一つの装着部に対して一つのマーク部品が嵌め込み固定されていることを特徴とする請求項１又は請求項２に記載のフィルムホルダ。
【請求項４】
前記装着部を含むホルダ本体は黒色で成形されている一方で、前記マーク部品は白色で成形されており、
前記ホルダ本体の色と前記マーク部品の形状及び色は、前記画像読取装置の機種間で共通化されていることを特徴とする請求項３に記載のフィルムホルダ。
【請求項５】
画像読取装置と、該画像読取装置を制御する制御装置と、画像読取装置の原稿台に透過原稿を位置決めするためのフィルムホルダとを備えた画像読取システムにおいて、
前記フィルムホルダには、ホルダ本体とは別部品からなる複数のマーク部品が前記ホルダ本体の装着部に嵌め込み固定されており、
前記制御装置は、前記画像読取装置が読み取った画像から全てのマーク部品を検出した場合に原稿種別を透過原稿と判別し、全てのマーク部品を検出しなかった場合に原稿種別を反射原稿と判別することを特徴とする画像読取システム。
【請求項６】
画像読取装置と、該画像読取装置を制御する制御装置と、画像読取装置の原稿台に透過原稿を位置決めするためのフィルムホルダとを備えた画像読取システムにおいて、
前記フィルムホルダには、ホルダ本体とは別部品からなる１つのマーク部品が前記ホルダ本体の装着部に嵌め込み固定されており、
前記制御装置は、前記画像読取装置が読み取った画像から１つのマーク部品とホルダ本体の両方を検出した場合に原稿種別を透過原稿と判別し、前記両方を検出しなかった場合に原稿種別を反射原稿と判別することを特徴とする画像読取システム。
【請求項７】
前記制御装置は、前記読み取り画像においてマーク検出範囲を設定し、そのマーク検出範囲から前記マーク部品とされる画素数と前記ホルダ本体とされる画素数を検出し、両画素数が予め定めた画素数範囲内である場合には前記読み取り画像中に前記マーク部品が存在すると判定し、前記両画素数が予め定めた画素数範囲内にない場合には前記読み取り画像中に前記マーク部品が存在しないと判定することを特徴とする請求項５又は請求項６に記載の画像読取システム。
【発明の詳細な説明】
【技術分野】
【０００１】
本発明は、画像読取装置の原稿台に透過原稿を位置決めするためのフィルムホルダ、及び原稿台に置かれた原稿が透過原稿であるか又は反射原稿であるかを自動判別する画像読取システムに関する。
【背景技術】
【０００２】
従来、原稿に記録された原稿像を読み取るための装置として、イメージスキャナなどのフラットベッド方式の画像読取装置が広く普及されている。この種の画像読取装置は、撮像素子（ラインセンサ）と光源とを搭載したキャリッジを原稿に対して移動させ、その原稿からの反射光を読み取ることで原稿像を取得するようになっている。ところで、反射光を読み取る構成の画像読取装置は、光を反射する反射原稿の読み取りには適しているが、フィルムなどの光を透過する透過原稿の読み取りには適さない。そこで、近時においては、原稿台カバーに別の光源を設け、フィルムからの透過光を読み取ることで透過原稿の原稿像を取得可能とした画像読取装置も実用化されている（例えば、特許文献１参照）。以下に説明する「画像読取装置」は、反射原稿と透過原稿の各原稿像を読み取り可能に構成した画像読取装置を示すものとする。
【０００３】
この種の画像読取装置では、読み取る透過原稿を原稿台の読み取り領域内に位置決めするためのガイドとなるフィルムホルダが用いられている。フィルムホルダは、フィルムの種類毎に用意されている。例えば、フィルムホルダは、３５ｍｍのストリップフィルムと３５ｍｍのマウント（スライド）フィルムをセット可能に構成されている。また、フィルムホルダには、プレスキャン時の読み取り画像から、その読み取り対象の原稿が反射原稿であるのか又は透過原稿であるのかを自動判別する際の指標となるマークが施されている。そして、画像読取装置とホストコンピュータ（例えば、パーソナルコンピュータ）を含む画像読取システムは、読み取り画像からマークの有無を判別し、マークありの場合には透過原稿であることを判別し、マークなしの場合には反射原稿であることを判別する。
【特許文献１】特開２００４−２４１８３８号公報
【発明の開示】
【発明が解決しようとする課題】
【０００４】
ところで、自動判別用のマークを施す方法としては、例えば、フィルムホルダの表面に所定色（例えば、白色）のマークをマーキングする方法がある。この方法によれば、フィルムホルダにマークを比較的簡単に施すことができる。しかしながら、マークをマーキングした場合、製造時においてマークの色合い、大きさ又はマーキング位置などにばらつきが生じ易く、このばらつきが自動判別時の誤判定を招く要因となる虞があった。
【０００５】
この発明は、このような従来の技術に存在する問題点に着目してなされたものであり、その目的は、画像読取装置の読み取り画像から原稿種別を自動判別する際の判別精度を向上させることができるフィルムホルダ、及び画像読取システムを提供することにある。
【課題を解決するための手段】
【０００６】
本発明のフィルムホルダは、画像読取装置の原稿台に透過原稿を位置決めするためのフィルムホルダであって、前記画像読取装置の読み取り画像から制御装置が原稿種別を判別する際の指標となるマークをホルダ本体とは別部品で構成し、そのマーク部品を前記ホルダ本体の装着部に嵌め込み固定した。
【０００７】
これによれば、ホルダ本体とマーク部品とは別部品として扱われ、それぞれの部品毎に製造管理される。そして、別部品とされたマーク部品をホルダ本体の装着部に嵌め込み固定して装着することにより、フィルムホルダが製造される。このため、原稿種別を判別する際に用いるマーク部品の統一化が図られるとともに、同種のフィルムホルダにあってはマーク部品の装着位置や形状の統一化も図られる。したがって、画像読取装置の読み取り画像から原稿種別を自動判別する際の判別精度を向上させることができる。
【０００８】
また、マーク部品は、前記画像読取装置の機種間で共通部品とされている。これによれば、画像読取装置の機種間においてもマーク部品の統一化が図られる。したがって、画像読取装置の機種全体において、原稿種別を自動判別する際の判別精度を向上させることができる。
【０００９】
また、ホルダ本体には、前記装着部が一つ又は複数設けられており、一つの装着部に対して一つのマーク部品が嵌め込み固定されている。これによれば、統一化されたマーク部品が少なくとも一つはフィルムホルダに装着されるので、このマーク部品を用いて原稿種別を自動判別することにより判別精度を向上させることができる。また、複数のマーク部品を設けて原稿種別を自動判別すれば、判別精度をさらに向上させることができる。
【００１０】
また、前記装着部を含むホルダ本体は黒色で成形されている一方で、前記マーク部品は白色で成形されており、前記ホルダ本体の色と前記マーク部品の形状及び色は、前記画像読取装置の機種間で共通化されている。これによれば、マーク部品の色や形状が機種間で統一化されるとともに、ホルダ本体の色も機種間で統一化される。このため、画像読取装置の機種全体において、判別精度を向上させることができるとともに、判別用の制御プログラムの統一化も図ることができる。
【００１１】
本発明の画像読取システムは、画像読取装置と、該画像読取装置を制御する制御装置と、画像読取装置の原稿台に透過原稿を位置決めするためのフィルムホルダとを備えた画像読取システムにおいて、前記フィルムホルダには、ホルダ本体とは別部品からなる複数のマーク部品が前記ホルダ本体の装着部に嵌め込み固定されており、前記制御装置は、前記画像読取装置が読み取った画像から全てのマーク部品を検出した場合に原稿種別を透過原稿と判別し、全てのマーク部品を検出しなかった場合に原稿種別を反射原稿と判別する。
【００１２】
これによれば、原稿種別を判別する際の指標となるマークを形成するマーク部品が統一化されているので、画像読取装置の読み取り画像から原稿種別を自動判別する際の判別精度を向上させることができる。加えて、判別時には、フィルムホルダに装着された複数のマーク部品の全てを検出したか否かにより原稿種別を判別しているので、判別精度をさらに向上させることができる。
【００１３】
本発明の画像読取システムは、画像読取装置と、該画像読取装置を制御する制御装置と、画像読取装置の原稿台に透過原稿を位置決めするためのフィルムホルダとを備えた画像読取システムにおいて、前記フィルムホルダには、ホルダ本体とは別部品からなる１つのマーク部品が前記ホルダ本体の装着部に嵌め込み固定されており、前記制御装置は、前記画像読取装置が読み取った画像から１つのマーク部品とホルダ本体の両方を検出した場合に原稿種別を透過原稿と判別し、前記両方を検出しなかった場合に原稿種別を反射原稿と判別する。
【００１４】
これによれば、原稿種別を判別する際の指標となるマークを形成するマーク部品が統一化されているので、画像読取装置の読み取り画像から原稿種別を自動判別する際の判別精度を向上させることができる。加えて、判別時には、フィルムホルダに装着された１つのマーク部品とホルダ本体の両方を検出したか否かにより原稿種別を判別しているので、判別精度を向上させることができる。
【００１５】
また、制御装置は、前記読み取り画像においてマーク検出範囲を設定し、そのマーク検出範囲から前記マーク部品とされる画素数と前記ホルダ本体とされる画素数を検出し、両画素数が予め定めた画素数範囲内である場合には前記読み取り画像中に前記マーク部品が存在すると判定し、前記両画素数が予め定めた画素数範囲内にない場合には前記読み取り画像中に前記マーク部品が存在しないと判定する。
【００１６】
これによれば、マーク検出は、マーク検出範囲からマーク部品とされる画素数とホルダ本体とされる画素数を検出して行われる。このため、何れか一方の検出のみでマーク検出を行う場合に比してマーク検出の精度を向上させることができる。したがって、原稿種別の判別精度を向上させることができる。
【発明を実施するための最良の形態】
【００１７】
（第１の実施形態）
以下、本発明のフィルムホルダ及び画像読取システムを具体化した第１の実施形態を図１〜図８にしたがって説明する。
【００１８】
図１は、画像読取システムの構成を示すブロック図である。図１に示すように、画像読取システム１０は、画像読取装置１１と、画像読取装置１１の制御及び画像処理を行うホストコンピュータ１２とを備えて構成される。画像読取装置１１は、フラットベッド方式の画像読取装置であり、反射原稿と透過原稿の両方を読み取り可能な構成とされている。ホストコンピュータ１２は、汎用的なパーソナルコンピュータを用いて構成されている。そして、画像読取装置１１とホストコンピュータ１２は、双方向通信が可能なそれぞれのインタフェース１３，１４を介して接続されている。
【００１９】
画像読取装置１１は、箱形の筐体上面に原稿を載せるための透明な原稿台１５と、該原稿台１５に載せられた原稿に光を照射しながら図１に示した矢印方向（副走査方向）に移動して原稿からの反射光を読み取るキャリッジ１６とを備えている。キャリッジ１６は、何れも図示しないライン光源と、反射鏡と、レンズと、ラインセンサとを備え、図示しない駆動機構により副走査方向への往復動作を行う。また、画像読取装置１１は、キャリッジ１６が読み取った反射信号をデジタル変換し、補正等の処理を施した上で画像データに変換する画像信号処理部１７と、原稿を覆うための原稿台カバー１８とを備えている。
【００２０】
また、原稿台カバー１８の一部には、白色の面光源１９が備えられている。この面光源１９から光を照射することで、原稿台１５に置かれたフィルムなどの透過原稿をキャリッジ１６で読み取ることができるようになっている。なお、フィルムなどの透過原稿は、読み取り位置が固定されるように図２及び図３に示すフィルムホルダ３０を用いて原稿台１５に置かれる。
【００２１】
ホストコンピュータ１２は、ＣＰＵ２０、ＲＡＭ２１、ＲＯＭ２２、補助記憶装置２３を備えている。また、ホストコンピュータ１２には、画像読取装置１１が読み取った画像を表示するモニタ２４及びユーザからの指示を受け付ける入力装置２５が接続されている。また、ホストコンピュータ１２には、画像読取装置用の制御プログラムがインストールされている。そして、ホストコンピュータ１２のＣＰＵ２０は、制御プログラムの実行により、画像読み取り制御を行う。なお、制御プログラムは、原稿台１５に載せられた原稿が反射原稿であるか又は透過原稿であるかを判別するための透過反射判定用のプログラムを含んで構成されている。
【００２２】
次に、フィルムホルダ３０の構成を図２〜図５を用いて説明する。
図２は、フィルムホルダ３０の表面（フィルムホルダ３０を原稿台１５に置いた時に原稿台カバー１８と対向する側の面）を示し、図３は、フィルムホルダ３０の裏面（フィルムホルダ３０を原稿台１５に置いた時に該原稿台１５のガラス面と対向する側の面）を示している。図２〜図５に示すフィルムホルダ３０は、３５ｍｍのストリップフィルム及び３５ｍｍのマウント（スライド）フィルムをセット可能な構成とされている。
【００２３】
フィルムホルダ３０は、平面視長方形の平板状に形成されている。フィルムホルダ３０は、その全体が黒色で着色された樹脂成形品とされている。フィルムホルダ３０は、黒色で着色された部位がホルダ本体としてのホルダ部３１となる。ホルダ部３１には、ストリップフィルムをセット可能なストリップフィルムホルダ部３２が設けられている。本実施形態においてホルダ部３１には、２つのストリップフィルムホルダ部３２が設けられている。また、ホルダ部３１には、マウントフィルムをセット可能なマウントフィルムホルダ部３３が設けられている。本実施形態においてホルダ部３１には、４つのマウントフィルムホルダ部３３が設けられている。ストリップフィルムホルダ部３２とマウントフィルムホルダ部３３は、面光源１９からの光を透過し得るようにフィルムホルダ３０の厚み方向に貫通形成されている。
【００２４】
また、図２に示すように、ホルダ部３１の表面には、ストリップフィルムホルダ部３２にセットされたストリップフィルムを押さえるためのフィルムカバー３４が着脱自在に装着されている。また、ホルダ部３１には、マウントフィルムホルダ部３３毎に各２つの平面視半円状をなす溝３５が設けられている。溝３５は、マウントフィルムホルダ部３３に収容されたマウントフィルムを取り出す際にユーザの指先などを挿入するために利用される。
【００２５】
このように構成されたフィルムホルダ３０にストリップフィルムをセットする場合には、まず、フィルムカバー３４をフィルムホルダ３０から取り外す。そして、ストリップフィルムホルダ部３２にストリップフィルムをセットし、その後にフィルムカバー３４をホルダ部３１に取り付ける。一方、フィルムホルダ３０にマウントフィルムをセットする場合には、まず、フィルムホルダ３０を原稿台１５の所定位置（マウントフィルム用の読み取り位置）にセットし、その状態でマウントフィルムホルダ部３３にマウントフィルムをセットする。
【００２６】
また、図３に示すように、ホルダ部３１の裏面には、装着部としてのマーク装着部３６が設けられている。本実施形態においてホルダ部３１には、対向する２つの角部にマーク装着部３６が設けられている。そして、各マーク装着部３６には、図４に示すように、マーク部品３７を嵌挿するための平面視正方形の装着部としての装着溝３８が設けられている。装着溝３８は、各マーク装着部３６に１つ設けられている。また、各マーク装着部３６は、フィルムホルダ３０を原稿台１５に置いた時に原稿台１５と対向する面が、該原稿台１５に密着するように平らな面（フラット面）で形成されている。また、装着溝３８は、マーク部品３７を嵌挿した時に、該マーク部品３７とマーク装着部３６とが面一となる深さで形成されている。
【００２７】
マーク部品３７は、平面視正方形の平板状に形成されている。また、マーク部品３７は、その全体が白色で着色された樹脂成形品とされている。すなわち、マーク部品３７は、ホルダ部３１（ホルダ本体）とは別部品で構成されている。マーク部品３７は、図４（ｂ）に示すように、粘着テープ（両面テープ）３９にてマーク装着部３６の装着溝３８に貼り付けられ、嵌め込み固定される。
【００２８】
そして、フィルムホルダ３０は、原稿種別に応じて予め定められた原稿台１５の読み取り位置に置かれた際、マーク装着部３６に装着されたマーク部品３７の位置（原稿台１５に対応する位置）が同一位置に配置されるように構成されている。具体的に言えば、フィルムホルダ３０は、ストリップフィルム用の読み取り位置に置いた場合（図５（ａ））と、マウントフィルム用の読み取り位置に置いた場合（図５（ｂ））とでマーク部品３７の位置が同一位置となるように構成されている。図５（ａ），（ｂ）は、原稿台１５に置いたフィルムホルダ３０を、原稿台１５側から見た状態を示している。
【００２９】
このフィルムホルダ３０は、画像読取装置１１の機種毎に用意されたフィルムホルダと同色の黒色で着色されている。すなわち、フィルムホルダ３０のホルダ部３１の色（黒色）は、機種間で統一化されている。また、フィルムホルダ３０には、画像読取装置１１の機種間で共通部品とされたマーク部品３７が装着されている。すなわち、マーク部品３７は、その大きさと色（白色）が機種間で統一化されている。
【００３０】
以下、画像読取システム１０において原稿台１５に置かれた原稿が透過原稿であるか又は反射原稿であるかを自動判別するための制御内容について説明する。
図６及び図７は、制御プログラムに基づき原稿種別を自動判別するための判定ロジックを示したフローチャートであり、図６には透過反射判定のメインフローを示し、図７には透過反射判定において実行されるマーク検出のフローを示している。
【００３１】
この判定ロジックは、前述したフィルムホルダ３０のように２つのマーク部品３７が装着され、２つのマークの検出結果から自動判別を行うものであり、２つのマーク部品３７が装着されたフィルムホルダを用いる機種間で共通化されている。そして、図６及び図７の判定ロジックによる自動判別は、ホストコンピュータ１２にインストールされる制御プログラムと該制御プログラムに示される全機種統一データと機種依存データを用いて行われる。
【００３２】
全機種統一データは、画像読取装置１１の全機種で共通する情報であり、本実施形態では、マーク画素下限値ＷＭｉｎと、マーク画素上限値ＷＭａｘと、マーク輝度値αと、ホルダ輝度値βとしている。マーク画素下限値ＷＭｉｎとマーク画素上限値ＷＭａｘは、フィルムホルダを画像読取装置１１で読み取った際、その読み取り画像からマークと判別される画素数Ｗの下限値と上限値を規定するものである。マーク画素下限値ＷＭｉｎとマーク画素上限値ＷＭａｘは、マーク部品３７の大きさに基づき定められる。
【００３３】
マーク輝度値αは、フィルムホルダを画像読取装置１１で読み取った際、その読み取り画像からマークと判別される輝度の閾値を規定するものである。マーク輝度値αは、マーク部品３７の色（白色）に基づき定められる。ホルダ輝度値βは、フィルムホルダを画像読取装置１１で読み取った際、その読み取り画像からホルダ部と判別される輝度の閾値を規定するものである。ホルダ輝度値βは、ホルダ部３１の色（黒色）に基づき定められる。
【００３４】
一方、機種依存データは、画像読取装置１１の機種毎に特有の情報であり、本実施形態では、マーク検出範囲Ｍと、ホルダ設置パターン数Ｐと、ホルダ部と判別される画素数Ｂとしている。マーク検出範囲Ｍは、フィルムホルダを原稿台１５の所定位置に置いて読み取った際、その読み取り画像においてマークが存在する位置を規定するものである。この位置は、フィルムホルダの形状や大きさなどに依存してフィルムホルダ毎にマーク部品３７の装着位置が変更される場合があるので、機種依存データとして設定される。２つのマークを用いて自動判別を行う場合、フィルムホルダには２つのマーク部品３７が装着されるので、マーク検出範囲Ｍは１つのフィルムホルダに対して２つとなる。
【００３５】
また、ホルダ設置パターン数Ｐは、フィルムホルダを原稿台１５に置くときの設置方法の種類を規定するものである。ホルダ設置パターン数Ｐは、設置方法によってマーク部品３７の位置（読み取り画像においてマークが存在する位置）が変わる場合に２以上の値を示すことになる。例えば、フィルムホルダ３０の場合には、ストリップフィルム用の読み取り位置とマウントフィルム用の読み取り位置においてマーク部品３７の位置が変化しないので、ホルダ設置パターン数は「１」となる。なお、マーク検出範囲Ｍは、ホルダ設置パターンに対応して変化する。
【００３６】
また、ホルダ部と判別される画素数Ｂは、フィルムホルダを画像読取装置１１で読み取った際、その読み取り画像中のマーク検出範囲Ｍにおいてホルダ部と判別される画素数Ｂを規定するものである。この画素数Ｂは、透過反射判定の処理中に自動計算される。
【００３７】
判定ロジックに基づく自動判別は、プレスキャン処理にて読み取った画像を用いて行われる。そして、読み取り画像からマーク（マーク部品３７）を検出した場合には、原稿種別を透過原稿と判別し、マークを検出しなかった場合には、原稿種別を反射原稿と判別する。プレスキャン処理は、本スキャン処理に先立ち、読み取り画像の解像度（本実施形態では、プレスキャン処理時の解像度として５０ｄｐｉが設定される）を落として短時間で原稿台１５に置かれた原稿の画像を読み取る処理である。プレスキャン処理では、キャリッジ１６を移動させて原稿からの反射光を読み取ることで画像を取得する。そして、画像読取システム１０（ホストコンピュータ１２）では、自動判別にて原稿種別を判別し、本スキャン処理時の画像の読み取り方法、読み取り範囲及び読み取り解像度を設定する。
【００３８】
以下、自動判別の判定ロジックを図６及び図７にしたがって説明する。
ＣＰＵ２０は、自動判別に必要な機種依存データを設定する（ステップＳ１０）。ステップＳ１０にてＣＰＵ２０は、機種依存データとしてマーク検出範囲Ｍとホルダ設置パターン数Ｐを設定する。フィルムホルダ３０を用いる機種の場合、ＣＰＵ２０は、ホルダ設置パターン数として「１」を設定するとともに、その設置パターンに対応するマーク検出範囲Ｍを設定する。
【００３９】
続いて、ＣＰＵ２０は、設置パターン毎に順次マーク検出を行うので、そのマーク検出の対象となる設置パターンを特定する検出パターンデータを設定する（ステップＳ１１）。そして、ＣＰＵ２０は、ステップＳ１１で設定した設置パターンを対象とし、マーク１の検出（２つのマークのうち、１つ目のマークの検出）を行う（ステップＳ１２）。マーク検出は、図７に示すフローチャートにしたがって行われる。
【００４０】
続いて、ＣＰＵ２０は、ステップＳ１３のマーク検出の検出結果がマークありか否か（マークが検出されたか否か）を判定する（ステップＳ１３）。この判定結果が肯定の場合、ＣＰＵ２０は、続いて、マーク２の検出（２つのマークのうち、２つ目のマークの検出）を行う（ステップＳ１４）。このマーク検出も、マーク１の検出と同様に図７のフローチャートにしたがって行われる。
【００４１】
続いて、ＣＰＵ２０は、ステップＳ１４のマーク検出の検出結果がマークありか否か（マークが検出されたか否か）を判定する（ステップＳ１５）。この判定結果が肯定の場合、ＣＰＵ２０は、読み取り画像から２つのマーク（フィルムホルダに装着された２つのマーク部品３７）を検出したことになる。このため、ＣＰＵ２０は、原稿台１５に置かれた原稿種別を透過原稿と判別し、透過反射判定を終了する。
【００４２】
一方、ステップＳ１３又はステップＳ１５の判定結果が否定の場合、ＣＰＵ２０は、全ての設置パターンについてマーク検出が終了したか否かを判定する（ステップＳ１６）。この判定結果が否定の場合、ＣＰＵ２０は、ステップＳ１１に移行し、マーク検出の対象とする次の設置パターンを特定する検出パターンデータを設定し、ステップＳ１２からの処理を繰り返し行う。ステップＳ１６の判定結果が肯定の場合、ＣＰＵ２０は、２つのマークを検出していないので、原稿台１５に置かれた原稿種別を反射原稿と判別し、透過反射判定を終了する。
【００４３】
次に、ステップＳ１２及びステップＳ１４のマーク検出について図７のフローチャートにしたがって説明する。
マーク検出においてＣＰＵ２０は、読み取り画像のマーク検出範囲Ｍに対応する部位からマーク輝度値α以上の画素数をカウントする（ステップＳ２０）。マーク検出の処理で用いるマーク検出範囲Ｍは、透過反射判定のステップＳ１０で設定され、かつ、ステップＳ１１で設定された設置パターンに対応するものである。
【００４４】
続いて、ＣＰＵ２０は、ステップＳ２０でカウントした画素数が、マーク画素下限値ＷＭｉｎ以上で、かつ、マーク画素上限値ＷＭａｘ以下であるか否かを判定する（ステップＳ２１）。ステップＳ２１にてＣＰＵ２０は、読み取り画像からカウントした画素数が、マークと判別される画素数Ｗの範囲に含まれるか否かを判定する。
【００４５】
ステップＳ２１の判定結果が肯定の場合、ＣＰＵ２０は、ホルダ部と判別される画素数Ｂ（図中、黒画素数と示す）を計算する（ステップＳ２２）。ステップＳ２２にてＣＰＵ２０は、式（１）と式（２）に基づき、ホルダ部と判別される画素数Ｂの下限値（ホルダ画素下限値ＢＭｉｎ）と、上限値（ホルダ画素上限値ＢＭａｘ）を計算する。式（１）中の補正値γは、例えば、ごみなどの影響を考慮して設定される値（固定値）である。
【００４６】
ＢＭｉｎ＝マーク検出範囲Ｍの面積−（マーク画素上限値ＷＭａｘ＋補正値γ）…（１）
ＢＭａｘ＝マーク検出範囲Ｍの面積−マーク画素下限値ＷＭｉｎ…（２）
続いて、ＣＰＵ２０は、読み取り画像のマーク検出範囲Ｍに対応する部位からホルダ輝度値β以下の画素数をカウントする（ステップＳ２３）。続いて、ＣＰＵ２０は、ステップＳ２３でカウントした画素数が、ホルダ画素下限値ＢＭｉｎ以上で、かつ、ホルダ画素上限値ＢＭａｘ以下であるか否かを判定する（ステップＳ２４）。ステップＳ２４にてＣＰＵ２０は、読み取り画像からカウントした画素数が、ホルダ部と判別される画素数Ｂの範囲に含まれるか否かを判定する。
【００４７】
ステップＳ２４の判定結果が肯定の場合、ＣＰＵ２０は、読み取り画像からマークを検出したことにより、マークありと判定する。一方、ＣＰＵ２０は、ステップＳ２１又はステップＳ２４の判定結果が否定の場合、読み取り画像からマークを検出していないので、マークなしと判定する。
【００４８】
本実施形態では、フィルムホルダ３０のように２つのマーク部品３７を装着し、プレスキャン処理時の透過反射判定にて２つのマークが検出されると原稿種別を透過原稿と判別している。このため、１つのマーク検出により、原稿種別を判別する場合に比して誤判定率が下げられる。さらに、マーク検出では、マーク検出範囲においてマークと判別される画素数Ｗの判定（ステップＳ２１）とホルダ部と判別される画素数Ｂの判定（ステップＳ２４）とを組み合わせ、両判定の判定結果からマークの有無を検出している。２つの判定を組み合わせることにより、さらに誤判定率が下げられる。
【００４９】
また、フィルムホルダ３０については、装着されるマーク部品３７の構成（色と大きさ）とホルダ部３１の構成（色）を機種間で統一している。このため、原稿種別を自動判別するための判定ロジック（透過反射判定とマーク検出）は、機種依存データの設定変更を行えば、判定ロジック自体は機種間で統一して利用することが可能である。
【００５０】
図８には、２つのマーク部品３７が装着されるが、フィルムホルダ３０とは異なる構成のフィルムホルダ４０を示している。図８（ａ），（ｂ），（ｃ）は、原稿台１５に置いたフィルムホルダ４０を、原稿台１５側から見た状態を示している。
【００５１】
フィルムホルダ４０のホルダ部４１には、１つのストリップフィルムホルダ部３２と、３つのマウントフィルムホルダ部３３が設けられている。また、ホルダ部４１には、２つのマーク装着部３６が設けられ、各マーク装着部３６の装着溝３８には、マーク部品３７が嵌挿されている。このフィルムホルダ４０は、フィルムホルダ３０とは異なりマーク装着部３６が対向する２つの角部に配置されておらず、直交する長辺側と短辺側の各縁部に沿って配置されている。なお、フィルムホルダ４０のホルダ部４１の色とマーク部品３７の大きさ及び色は、フィルムホルダ３０と共通化されている。
【００５２】
フィルムホルダ４０の場合、マーク装着部３６の配置により、ホルダ設置パターン数Ｐが複数となる。図８（ａ）〜（ｃ）には、フィルムホルダ４０を原稿台１５に置く時の３つのホルダ設置パターンを示している。なお、ホルダ設置パターン数Ｐは、機種毎に予め定められるものであり、フィルムホルダ４０にセットしたフィルム（ストリップフィルムやマウントフィルムなど）に対して面光源１９から光をあてることが可能であれば、その数は任意に設定することが可能である。このようにホルダ設置パターン数Ｐが「３」の場合には、読み取り画像に現われるマークの配置も３パターン存在することになる。
【００５３】
そして、フィルムホルダ４０を用いる機種の場合、図６に示す透過反射判定のステップＳ１０においてホルダ設置パターン数Ｐとして「３」が設定され、各設置パターン毎に対応するマーク検出範囲Ｍが設定される。この設定により、透過反射判定（マーク検出を含む）は、図６及び図７の判定ロジックにしたがってフィルムホルダ３０を用いる機種と同様に行われる。
【００５４】
従って、本実施形態によれば、以下に示す効果を得ることができる。
（１）マーク部品３７を、フィルムホルダ３０のホルダ部３１とは別部品で形成し、そのマーク部品３７をホルダ部３１のマーク装着部３６に嵌め込み固定してフィルムホルダ３０を構成した。このため、マーク部品３７は、ホルダ部３１とは別部品として扱われることになり、マーク部品３７とホルダ部３１はそれぞれの部品毎に製造管理される。その結果、原稿種別を判別する際の指標となるマークを形成するマーク部品３７の統一化が図られるとともに、同種のフィルムホルダ３０にあってはマーク部品３７の装着位置や形状の統一化も図られる。したがって、画像読取装置１１の読み取り画像から原稿種別を自動判別する際の判別精度を向上させることができる。
【００５５】
（２）マーク部品３７を、画像読取装置１１の機種間で共通部品とした。このため、画像読取装置１１の機種間においてもマーク部品３７の統一化が図られる。したがって、画像読取装置１１の機種全体において、原稿種別を自動判別する際の判別精度を向上させることができる。
【００５６】
（３）機種間でマーク部品３７の大きさや色合いを異ならせて専用部品とした場合には、そのマーク部品３７を検出するために機種毎（すなわち、専用部品となるマーク部品３７毎）に制御プログラムを開発しなければならない。これに対し、本実施形態では、マーク部品３７を機種間で共通部品とし、フィルムホルダを構成するので、機種毎に制御プログラム（ドライバ）を開発する必要がなく、開発コストの削減に貢献できる。その結果、画像読取システム１０（画像読取装置１１）自体の製造コスト削減に貢献できる。
【００５７】
（４）ホルダ部３１には、マーク装着部３６を２つ設け、各マーク装着部３６にマーク部品３７を装着し、読み取り画像から２つのマークを検出したか否かにより、原稿種別を自動判別するようにした。このため、１つのマークの検出により自動判別を行う場合に比して、判別精度を向上させることができる。
【００５８】
（５）マーク装着部３６を含むホルダ部３１の色（本実施形態では黒色）とマーク部品３７の形状及び色（本実施形態では白色）を、画像読取装置１１の機種間で共通化した。このため、画像読取装置１１の機種全体において、マーク部品３７を共通部品として扱うことができ、製造コスト低減に貢献できる。また、画像読取装置１１の機種全体において、自動判別用の制御プログラムの統一化を図ることができる。
【００５９】
（６）マーク検出では、マーク検出範囲Ｍを設定し、その範囲内において、マークとされる画素数Ｗとホルダ部とされる画素数Ｂとが規定した画素数の範囲内の場合（ステップＳ２１とステップＳ２４が肯定の場合）にマークありと判定するようにした。これらの判定を組み合わせてマーク検出を行うことにより、何れか一方の判定のみでマーク検出を行う場合に比して誤判定率を下げることができる。したがって、原稿種別を自動判別する際の判別精度を向上させることができる。
【００６０】
（７）また、判別ロジックは、全機種統一データと機種依存データを用いて行うように構成した。このため、機種依存データを機種毎に変更すれば、判定ロジック自体は機種間で共通化することができる。したがって、開発コストの削減に貢献できる。
【００６１】
（第２の実施形態）
以下、本発明を具体化した第２の実施形態を図９及び図１０にしたがって説明する。なお、以下に説明する実施形態では、既に説明した実施形態と同一構成（同一制御内容）について、その重複する説明を省略又は簡略する。
【００６２】
本実施形態では、フィルムホルダに１つのマーク部品３７を設け、そのフィルムホルダを用いて原稿種別を自動判別するための判定ロジックについて説明する。
図９及び図１０は、制御プログラムに基づき原稿種別を自動判別するための判定ロジックを示したフローチャートであり、図９には透過反射判定のメインフローを示し、図１０には透過反射判定において実行されるホルダ部検出のフローを示している。なお、以下の説明では、第１の実施形態で説明した透過反射判定のメインフロー（図６）で実行される処理と同一処理についてはその重複する説明を省略又は簡略する。また、図９に示す透過反射判定のメインフローは、ホルダ設置パターン数が「１」の場合の判定ロジックを示している。
【００６３】
ＣＰＵ２０は、自動判別に必要な機種依存データを設定する（ステップＳ３０）。ステップＳ３０にてＣＰＵ２０は、機種依存データとしてマーク検出範囲Ｍとホルダ設置パターン数Ｐに加えて、ホルダ部検出範囲Ｈと、ホルダ画素下限値Ｂ２Ｍｉｎと、ホルダ画素上限値Ｂ２Ｍａｘを設定する。ホルダ部検出範囲Ｈは、フィルムホルダを原稿台１５の所定位置に置いて読み取った際、その読み取り画像からホルダ部を確認する位置を規定するものである。ホルダ部検出範囲Ｈは、１つのフィルムホルダに対して１箇所定められる。ホルダ画素下限値Ｂ２Ｍｉｎとホルダ画素上限値Ｂ２Ｍａｘは、フィルムホルダを画像読取装置１１で読み取った際、その読み取り画像からホルダ部と判別される画素数Ｂ２の下限値と上限値を規定するものである。
【００６４】
続いて、機種依存データを設定したＣＰＵ２０は、マーク１の検出を行う（ステップＳ３１）。マーク検出は、図７に示すフローチャートにしたがって行われる。続いて、ＣＰＵ２０は、ステップＳ３１のマーク検出の検出結果がマークありか否か（マークが検出されたか否か）を判定する（ステップＳ３２）。この判定結果が肯定の場合、ＣＰＵ２０は、続いて、ホルダ部の検出を行う（ステップＳ３３）。ホルダ部の検出は、図１０に示すフローチャートにしたがって行われる。
【００６５】
続いて、ＣＰＵ２０は、ステップＳ３３のホルダ部検出の検出結果に基づきホルダ部であるか否か（ホルダ部が検出されたか否か）を判定する（ステップＳ３４）。この判定結果が肯定の場合、ＣＰＵ２０は、読み取り画像から１つのマーク（フィルムホルダに装着された１つのマーク部品３７）とホルダ部を検出したことになる。このため、ＣＰＵ２０は、原稿台１５に置かれた原稿種別を透過原稿と判別し、透過反射判定を終了する。
【００６６】
一方、ステップＳ３２又はステップＳ３４の判定結果が否定の場合、ＣＰＵ２０は、１つのマーク又はホルダ部の何れかを検出していないので、原稿台１５に置かれた原稿種別を反射原稿と判別し、透過反射判定を終了する。
【００６７】
次に、ステップＳ３３のホルダ部検出について図１０のフローチャートにしたがって説明する。
ホルダ部検出においてＣＰＵ２０は、読み取り画像のホルダ部検出範囲Ｈに対応する部位からマーク輝度値β以下の画素数をカウントする（ステップＳ３５）。続いて、ＣＰＵ２０は、ステップＳ３５でカウントした画素数が、ホルダ画素下限値Ｂ２Ｍｉｎ以上で、かつ、ホルダ画素上限値Ｂ２Ｍａｘ以下であるか否かを判定する（ステップＳ３６）。ステップＳ３６にてＣＰＵ２０は、読み取り画像からカウントした画素数が、ホルダ部と判別される画素数Ｂ２の範囲に含まれるか否かを判定する。すなわち、読み取り画像のホルダ部検出範囲Ｈに対応する部位にホルダ部が存在するか否かを判定する。
【００６８】
ステップＳ３６の判定結果が肯定の場合、ＣＰＵ２０は、読み取り画像からホルダ部を検出したことにより、ホルダ部ありと判定する。一方、ＣＰＵ２０は、ステップＳ３６の判定結果が否定の場合、読み取り画像からホルダ部を検出していないので、ホルダ部なしと判定する。
【００６９】
フィルムホルダに１つのマークのみを設けた場合には、そのマークの有無により原稿種別を判別すると、誤判定率が高くなる虞がある。そこで、本実施形態では、マーク検出に加えてホルダ部を検出する処理を行い、両検出結果から原稿種別を自動判別している。すなわち、判定ロジックは、読み取り画像中におけるマークの存在とホルダ部の存在を検出するように構成されている。このようにマークとホルダ部の判定を組み合わせることにより、誤判定率が下げられる。
【００７０】
なお、本実施形態で説明した判定ロジックは、機種依存データの設定により、機種間で統一化された判定ロジックとして適用可能である。例えば、ホルダ設置パターン数が３パターン存在するフィルムホルダを用いる場合には、ホルダ設置パターン数に「３」を設定し、パターン毎にマーク検出範囲Ｍとホルダ部検出範囲Ｈを設定する。図９の判定ロジックをホルダ設置パターン数が複数の場合にも適用する場合には、図６のステップＳ１１，Ｓ１６と同様の処理を追加すれば良い。
【００７１】
従って、本実施形態によれば、第１の実施形態の効果（１）〜（３）及び（５）〜（７）と同様の効果に加えて以下に示す効果を得ることができる。
（８）フィルムホルダに１つのマーク部品３７を装着した場合の自動判別では、そのマークの検出に加えてホルダ部の検出を行い、その検出結果から原稿種別が透過原稿であるか又は反射原稿であるかを判別するようにした。これらの判定を組み合わせることにより、マーク検出のみで原稿種別を判別する場合に比して誤判定率を下げることができる。したがって、原稿種別を自動判別する際の判別精度を向上させることができる。
【００７２】
（９）フィルムホルダには、機種間で統一化されたマーク部品３７を装着した。このため、１つのマーク部品３７を装着するフィルムホルダと２つのマーク部品３７を装着するフィルムホルダ３０，４０とで、マーク検出に係る判定ロジックの共通化を図ることができる。したがって、開発コストの削減に貢献できる。
【００７３】
なお、上記実施形態は以下のように変更してもよい。
○  実施形態において、マーク部品３７の形状を変更しても良い。例えば、平面視長方形や円形のマーク部品３７としても良い。
【００７４】
○  実施形態において、装着溝３８に代えてホルダ部３１に装着孔を形成し、該装着孔にマーク部品３７を嵌め込み固定しても良い。
○  また、ホルダ部３１に装着孔を形成した場合には、図１１に示すマーク部品４６を装着孔に嵌め込み固定しても良い。図１１中の符号「４５」は装着孔を示す。マーク部品４６は、装着孔４５に嵌合される外形状を有するとともに嵌め込み方向に沿って貫通する貫通孔４７が形成されている。貫通孔４７は、マーク部品４６を装着孔４５に装着した際、フィルムホルダ３０の表面側から裏面側に向かって先細となるテーパ孔として形成されている。そして、原稿種の自動判別においては、面光源１９の光を図中矢印Ｌ方向からあて、透過光による読み取り画像でマーク検出を行う。なお、この別例は、フィルムホルダ４０や第２の実施形態のフィルムホルダにも同様に適用できる。
【００７５】
○  実施形態において、フィルムホルダ３０，４０は、他種類のフィルム（例えば、ブローニフィルム）をセット可能に構成しても良い。この場合でも、マーク部品３７をフィルムホルダに装着する。
【図面の簡単な説明】
【００７６】
【図１】画像読取システムの構成を示すブロック図。
【図２】フィルムホルダの表面を示す平面図。
【図３】フィルムホルダの裏面を示す平面図。
【図４】（ａ）は図３のＡ―Ａ線断面図、（ｂ）はマーク部品の装着態様を模式的に示す断面図。
【図５】（ａ），（ｂ）は、原稿台に置かれたフィルムホルダを示す模式図。
【図６】第１の実施形態における透過反射判定を説明するフローチャート。
【図７】マーク検出処理を説明するフローチャート。
【図８】（ａ）〜（ｃ）は、原稿台に設置された他機種のフィルムホルダを示す模式図。
【図９】第２の実施形態における透過反射判定を説明するフローチャート。
【図１０】ホルダ部検出処理を説明するフローチャート。
【図１１】別例のマーク部品を示す断面図。
【符号の説明】
【００７７】
１０…画像読取システム、１１…画像読取装置、１２…ホストコンピュータ（制御装置）、１５…原稿台、３０，４０…フィルムホルダ、３１，４１…ホルダ部（ホルダ本体）、３６…マーク装着部（装着部）、３７，４６…マーク部品、３８，４７…装着溝（装着部）。
【図１】
2006284884.tif 000003
【図２】
2006284884.tif 000004
【図３】
2006284884.tif 000005
【図４】
2006284884.tif 000006
【図５】
2006284884.tif 000007
【図６】
2006284884.tif 000008
【図７】
2006284884.tif 000009
【図８】
2006284884.tif 000010
【図９】
2006284884.tif 000011
【図１０】
2006284884.tif 000012
【図１１】
2006284884.tif 000013